(57)【要約】【課題】ウエブ材料のスリット後、そのウエブ材料を巻取ロール２に巻き取るスリッタの巻取装置において、大きいトルクで巻取ロール２を回転させることが要求されたとき、それに的確に対処する。【解決手段】固定モータ５が巻取アーム１に固定され、巻取ロール２に連結され、固定モータ５によって巻取ロール２が回転する。さらに、可動モータ６がガイドレールに沿って移動し、連結手段９，１０，１２によって可動モータ６と巻取ロール２が連結される。したがって、固定モータ５および可動モータ６によって同一のロール２を回転させることができる。【選択図】図２
2007070018.tif 000002
【特許請求の範囲】
【請求項１】
ウエブ材料のスリット後、そのウエブ材料を巻取ロールに巻き取るスリッタの巻取装置であって、
間隔を置いて配列され、前記巻取ロールを支持する複数の巻取アームと、
前記巻取アームに固定され、前記巻取ロールに連結され、前記巻取ロールを回転させる固定モータと、
前記巻取アームの配列方向にのびるガイドレールと、
前記ガイドレールに沿って移動する可動モータと、
前記可動モータが前記巻取アームに対応する位置にあるとき、前記可動モータと巻取ロールを連結する連結手段とからなり、
大きいトルクで前記巻取ロールを回転させることが要求されたとき、前記固定モータおよび可動モータによって同一のロールを回転させるようにしたことを特徴とするスリッタの巻取装置
【発明の詳細な説明】
【技術分野】
【０００１】
この発明は、紙、プラスチックフィルムなどのウエブ材料のスリット後、そのウエブ材料を巻取ロールに巻き取るスリッタの巻取装置に関するものである。
【背景技術】
【０００２】
紙、プラスチックフィルムなどのウエブ材料をスリットするスリッタでは、ウエブ材料のスリット後、そのウエブ材料が巻取ロールに巻き取られる。普通、複数の巻取アームが間隔を置いて配列され、巻取アームに巻取ロールが支持され、駆動モータによって巻取ロールが回転し、ウエブ材料が巻き取られることは周知のとおりである。たとえば、特開平９−８６７３３号公報（特許文献１）に記載されているものがそれである。
【０００３】
ところで、この場合、駆動モータによって巻取ロールを回転させ、ウエブ材料を巻き取るとき、その所要トルクは常時一定ではない。たとえば、ウエブ材料のスリット後、それが巻取ロールに巻き取られるが、スリット幅は常時一定ではなく、種々に変更される。さらに、ウエブ材料に種々の材質のものが使用される。このため、ウエブ材料のスリット幅および材質によって所要トルクが異なるが、これまで、特に、大きいトルクで巻取ロールを回転させることが要求されたとき、それに的確に対処することができないという問題があった。
【０００４】
したがって、この発明は、ウエブ材料のスリット後、そのウエブ材料を巻取ロールに巻き取るスリッタの巻取装置において、大きいトルクで巻取ロールを回転させることが要求されたとき、それに的確に対処することを目的としてなされたものである。
【特許文献１】特開平９−８６７３３号公報
【発明の開示】
【０００５】
この発明によれば、複数の巻取アームが間隔を置いて配列され、巻取アームに巻取ロールが支持される。さらに、固定モータが巻取アームに固定され、巻取ロールに連結され、固定モータによって巻取ロールが回転する。さらに、可動モータがガイドレールと組み合わされ、ガイドレールは巻取アームの配列方向にのび、可動モータはガイドレールに沿って移動する。そして、可動モータが巻取アームに対応する位置にあるとき、連結手段によって可動モータと巻取ロールが連結される。したがって、大きいトルクで巻取ロールを回転させることが要求されたとき、固定モータおよび可動モータによって同一のロールを回転させることができる。
【発明を実施するための最良の形態】
【０００６】
以下、この発明の実施例を説明する。
【０００７】
図１はこの発明にかかる装置を示す。この装置はスリッタの巻取装置である。したがって、特開平９−８６７３３号公報の装置と同様、図２に示すように、前後両側の巻取位置において、複数の巻取アーム１が間隔を置いて配列されている。さらに、隣接対の巻取アーム１間において、巻取アーム１に巻取ロール２が支持され、ウエブ材料のスリット後、そのウエブ材料が前後両側の巻取位置に振り分けられ、巻取ロール２に巻き取られる。
【０００８】
さらに、この装置では、巻取アーム１にチャック３が設けられており、隣接対の巻取アーム１間において、それぞれコア４が配置され、その両端がチャック３に固定される。さらに、駆動モータ５，６によってチャック３およびコア４が回転し、ウエブ材料がコア４に巻き取られ、これによって巻取ロール２が形成される。したがって、駆動モータ５，６によって巻取ロール２が回転し、ウエブ材料が巻き取られるものである。
【０００９】
さらに、ウエブ材料のスリット後、それが巻取ロール２に巻き取られるが、スリット幅は常時一定ではなく、種々に変更される。したがって、この装置では、巻取アーム１をガイドレール７に沿って移動させ、その間隔をスリット幅に対応させることができる。その後、隣接対の巻取アーム１間において、それぞれコア４を配置し、その両端をチャック３に固定することができ、ウエブ材料を巻取ロール２に巻き取ることができる。巻取ロール２はスリット幅に対応する長さをもつ。
【００１０】
さらに、この装置では、駆動モータに固定モータ５および可動モータ６が使用されており、固定モータ５が巻取アーム１に固定され、巻取ロール２に連結される。さらに、可動モータ６がガイドレール８と組み合わされ、ガイドレール８は巻取アーム１の配列方向にのび、可動モータ６はガイドレール８に支持され、ガイドレール８に沿って移動する。したがって、可動モータ６が巻取アーム１の配列方向に移動するものである。そして、可動モータ６が巻取アーム１に対応する位置にあるとき、連結手段によって可動モータ６と巻取ロール２が連結される。
【００１１】
たとえば、最も外側の対の巻取アーム１を除き、他の対の巻取アーム１のうち、一方のアーム１に固定モータ５が固定され、連結手段によって固定モータ５と巻取ロール２が連結される。さらに、最も外側の対の巻取アーム１のうち、一方のアーム１に可動モータ６が関係し、可動モータ６が一方のアーム１に対応する位置に配置され、連結手段によって可動モータ６と巻取ロール２が連結される。
【００１２】
この実施例では、前側の巻取位置において、計４対の巻取アーム１が間隔を置いて配列され、第１対の巻取アーム１のうち、一方のアーム１に可動モータ６が関係し、可動モータ６が一方のアーム１に対応する位置に配置されており、連結手段によって可動モータ６と巻取ロール２が連結される。さらに、第２対の巻取アーム１のうち、一方のアーム１に固定モータ５が固定されており、連結手段によって固定モータ５と巻取ロール２が連結される。さらに、第３対の巻取アーム１のうち、一方のアーム１に固定モータ５が固定されており、連結手段によって固定モータ５と巻取ロール２が連結される。さらに、第４対の巻取アーム１のうち、一方のアーム１に可動モータ６が関係し、可動モータ６が一方のアーム１に対応する位置に配置されており、連結手段によって可動モータ６と巻取ロール２が連結される。
【００１３】
さらに、後側の巻取位置において、計５対の巻取アーム１が間隔を置いて配列され、前側の巻取位置と同様、第１対の巻取アーム１のうち、一方のアーム１に可動モータ６が関係し、可動モータ６が一方のアーム１に対応する位置に配置されており、連結手段によって可動モータ６と巻取ロール２が連結される。さらに、前側の巻取位置と同様、第２対の巻取アーム１のうち、一方のアーム１に固定モータ５が固定され、第３対の巻取アーム１のうち、一方のアーム１に固定モータ５が固定されており、連結手段によって固定モータ５と巻取ロール２が連結される。さらに、第４対の巻取アーム１のうち、一方のアーム１に固定モータ５が固定されており、連結手段によって固定モータ５と巻取ロール２が連結され、第５対の巻取アーム１のうち、一方のアーム１に可動モータ６が関係し、可動モータ６が一方のアーム１に対応する位置に配置されており、連結手段によって可動モータ６と巻取ロール２が連結される。
【００１４】
したがって、この装置は計５台の固定モータ５を有し、計４台の可動モータ６を有するものである。さらに、この実施例では、連結手段にギヤ９およびベルト１０が使用され、各巻取アーム１にギヤ９およびベルト１０が設けられており、固定モータ５がギヤ９、ベルト１０およびチャック３に連結されている。したがって、固定モータ５が巻取ロール２に連結される。
【００１５】
さらに、この実施例では、可動モータ６がキャリジ１１に取り付けられ、キャリジ１１がガイドレール８に支持されている。したがって、可動モータ６およびキャリジ１１がガイドレール８に支持され、ガイドレール８に沿って移動するものである。さらに、連結手段にギヤ１２が使用され、これがキャリジ１１に取り付けられ、可動モータ６がギヤ１２に連結されている。さらに、ギヤ１２がギヤ９にかみ合わされ、可動モータ６がギヤ９、ベルト１０およびチャック３に連結されている。したがって、可動モータ６が巻取ロール２に連結される。
【００１６】
したがって、この装置の場合、最も外側の対の巻取アーム１を除き、他の対の巻取アーム１間において、固定モータ５によって巻取ロール２を回転させ、ウエブ材料を巻き取ることができる。最も外側の対の巻取アーム１間において、可動モータ６によって巻取ロール２を回転させ、ウエブ材料を巻き取ることもできる。
【００１７】
さらに、大きいトルクで巻取ロール２を回転させることが要求されたとき、それに的確に対処することができる。大きいトルクで巻取ロール２を回転させるには、可動モータ６およびキャリジ１１をガイドレール８に沿って移動させ、巻取アーム１の配列方向に移動させる。そして、可動モータ６を適宜のアーム１の位置に配置する。たとえば、図３に示すように、最も外側の対の巻取アーム１ではなく、他の対の巻取アーム１のうち、一方または他方のアーム１に可動モータ６を関係させ、可動モータ６を一方または他方のアーム１に対応する位置に配置すればよい。一方または他方のアーム１に対応する位置に配置すると、その位置において、ギヤ１２をギヤ９にかみ合わせることができる。したがって、可動モータ６をギヤ９、ベルト１０およびチャック３に連結することができ、巻取ロール２に連結することができる。
【００１８】
したがって、その後、他の対の巻取アーム１間において、固定モータ５および可動モータ６によって同一のロール２を回転させ、大きいトルクで巻取ロール２を回転させることができる。しかも、可動モータ６をガイドレール８に沿って移動させ、他の対の巻取ロール２のうち、一方または他方のアーム１に対応する位置において、可動モータ６を巻取ロール２に連結することは容易である。したがって、大きいトルクで巻取ロール２を回転させることが要求されたとき、それに的確に対処することができるものである。
【００１９】
図４は他の実施例を示す。この実施例では、前側の巻取位置において、第１対の巻取アーム１のうち、両方のアーム１に可動モータ６が関係し、可動モータ６が両方のアーム１に対応する位置に配置されている。さらに、各位置において、ギヤ１２がギヤ９にかみ合わされており、可動モータ６がギヤ９、ベルト１０およびチャック３に連結されている。さらに、第２対の巻取アーム１のうち、両方のアーム１に固定モータ５が固定され、第３対の巻取アーム１のうち、両方のアーム１に固定モータ５が固定され、固定モータ５がギヤ９、ベルト１０およびチャック３に連結されている。さらに、第４対の巻取アーム１のうち、両方のアーム１に可動モータ６が関係し、可動モータ６が両方のアーム１に対応する位置に配置されている。さらに、各位置において、ギヤ１２がギヤ９にかみ合わされ、可動モータ６がギヤ９、ベルト１０およびチャック３に連結されている。
【００２０】
さらに、後側の巻取位置において、第１対の巻取アーム１のうち、両方のアーム１に可動モータ６が関係し、可動モータ６が両方のアーム１に対応する位置に配置されている。さらに、各位置において、ギヤ１２がギヤ９にかみ合わされ、可動モータ６がギヤ９、ベルト１０およびチャック３に連結されている。さらに、第２対の巻取アーム１のうち、両方のアーム１に固定モータ５が固定され、第３対の巻取アーム１のうち、両方のアーム１に固定モータ５が固定され、固定モータ５がギヤ９、ベルト１０およびチャック３に連結されている。第４対の巻取アーム１については、一方のアーム１に固定モータ５が固定され、他方のアーム１に可動モータ６が関係し、可動モータ６が他方のアーム１に対応する位置に配置されている。さらに、固定モータ５がギヤ９、ベルト１０およびチャック３に連結されており、ギヤ１２がギヤ９にかみ合わされ、可動モータ６がギヤ９、ベルト１０およびチャック３に連結されている。さらに、第５対の巻取アーム１のうち、両方のアーム１に可動モータ６が関係し、可動モータ６が両方のアーム１に対応する位置に配置されている。さらに、各位置において、ギヤ１２がギヤ９にかみ合わされ、可動モータ６がギヤ９、ベルト１０およびチャック３に連結されている。
【００２１】
したがって、図４の装置は計９台の固定モータ５を有し、計９台の可動モータ６を有する。そして、隣接対の巻取アーム１間において、固定モータ５または可動モータ６によって巻取ロール２を回転させ、ウエブ材料を巻き取ることができる。
【００２２】
さらに、大きいトルクで巻取ロール２を回転させることが要求されたとき、可動モータ６をガイドレール８に沿って移動させる。そして、図５に示すように、可動モータ６を適宜のアーム１の位置に配置すると、その位置において、ギヤ１２をギヤ９にかみ合わせ、可動モータ６をギヤ９、ベルト１０およびチャック３に連結することができ、巻取ロール２に連結することができる。その後、固定モータ５および可動モータ６によって同一のロール２を回転させ、大きいトルクで巻取ロール２を回転させることができる。
【００２３】
他の実施例において、固定モータ５および可動モータ６を種々に増減し、それと巻取アーム１を種々に組み合わせることができる。
【図面の簡単な説明】
【００２４】
【図１】この発明の実施例を示す側面図である。
【図２】図１の固定モータ、可動モータおよび巻取アームの関係を示す説明図である。
【図３】図２の可動モータを移動させた状態を示す説明図である。
【図４】他の実施例を示す説明図である。
【図５】図４の可動モータを移動させた状態を示す説明図である。
【符号の説明】
【００２５】
１  巻取アーム
２  巻取ロール
５  固定モータ
６  可動モータ
８  ガイドレール
９，１２  ギヤ
１０  ベルト
【図１】
2007070018.tif 000003
【図２】
2007070018.tif 000004
【図３】
2007070018.tif 000005
【図４】
2007070018.tif 000006
【図５】
2007070018.tif 000007